(57)【要約】【課題】収納された物品を容易に取り出すことができ、特に採便管の輸送用のものである場合において、便試料の検査を行うに際しての採便管の取り出し工程の自動化を図ることが容易なブリスターパックを提供することを目的とする。【解決手段】樹脂シートの成形品よりなり、一方のケースと当該一方のケースに折り曲げ部を介して連続する他方のケースとを嵌合させることにより内部に物品収納空間を形成するブリスターパックであって、前記一方のケースおよび前記他方のケースの少なくとも一方が、当該一方のケースと当該他方のケースが嵌合された状態において内方側に向かって凸となる湾曲部を介して、前記折り曲げ部に連続する構成とされる。【選択図】図７
2018052535.tif 000002
【特許請求の範囲】
【請求項１】
樹脂シートの成形品よりなり、一方のケースと当該一方のケースに折り曲げ部を介して連続する他方のケースとを嵌合させることにより内部に物品収納空間を形成するブリスターパックであって、
前記一方のケースおよび前記他方のケースの少なくとも一方が、当該一方のケースと当該他方のケースが嵌合された状態において内方側に向かって凸となる湾曲部を介して、前記折り曲げ部に連続していることを特徴とするブリスターパック。
【請求項２】
便試料を内部に保持した採便管の輸送に用いられるものであることを特徴とする請求項１に記載のブリスターパック。
【請求項３】
前記一方のケースおよび前記他方のケースは、外周における少なくとも開閉端側の位置にフランジ部分を有しており、
当該一方のケースおよび当該他方のケースの少なくとも一方のケースにおけるフランジ部分が、当該一方のケースと当該他方のケースが嵌合された状態において外方に向かって拡開するよう傾斜していることを特徴とする請求項２に記載のブリスターパック。
【請求項４】
前記一方のケースおよび前記他方のケースの少なくとも一方のケースのフランジ部分の内面に、突起部が形成されていることを特徴とする請求項３に記載のブリスターパック。
【請求項５】
前記採便管は、外形形状が管軸方向における一端部と他端部とで互いに異なるものであって、
前記物品収納空間は、前記採便管の一端部および他端部の少なくとも一方の端部の外形形状に適合する空間形状を有することを特徴とする請求項２乃至請求項４のいずれかに記載のブリスターパック。
【請求項６】
前記一方のケースに、前記採便管を受容して保持する採便管収容凹部が形成されており、当該採便管収容凹部には、当該採便管収容凹部に採便管が保持された状態において、当該採便管収容凹部の壁面と採便管の外周面との間に空間を形成する膨出部を有することを特徴とする請求項２乃至請求項５のいずれかに記載のブリスターパック。
【請求項７】
前記一方のケースにおける前記採便管収容凹部の内面には、収容される採便管の管軸方向に延びる係合用凹溝が形成されており、
前記他方のケースには、当該採便管収容凹部の開口形状に適合する枠状の凸部が形成されており、当該凸部の外周面に、前記係合用凹溝に係合される係合用突条が形成されていることを特徴とする請求項６に記載のブリスターパック。
【請求項８】
前記採便管に保持された便試料の色と補色の関係にある色の有色透明のものであることを特徴とする請求項２乃至請求項７のいずれかに記載のブリスターパック。
【発明の詳細な説明】
【技術分野】
【０００１】
本発明はブリスターパックに関し、特に、例えば便試料を内部に保持した採便管の輸送用のものとして好適に用いられるブリスターパックに関する。
【背景技術】
【０００２】
一般に、例えば免疫学的便潜血検査などの便検査を行う場合には、例えば便試料を採取するために用いられる採便管が検査センター（検査機関）において専用のチャック付き袋等の輸送用袋に入れられた状態で被検験者に発送され、被検者自身によって採便された後、輸送用袋および採便管に名前等が記入されて検査センターに返送されるシステムが利用されている。このようなシステムが利用されることは、例えば特許文献１に記載されている。
そして、検査センターにおいては、返送された輸送用袋の記載内容等が確認、登録された後、検査員によって輸送用袋から採便管が取り出され、検査機にかけられて各種検査が行われる。
【先行技術文献】
【特許文献】
【０００３】
【特許文献１】特開２００４−１２５４０８号公報
【発明の概要】
【発明が解決しようとする課題】
【０００４】
しかしながら、採便管の輸送に際して、従来の専用チャック付きの輸送用袋等による包装形態が用いられるのでは、輸送用袋内での採便管の向きが一定にならない。このため、輸送用袋から採便管を取り出すためには、人手に頼るしかないのが現状であって、採便管の取り出し工程の自動化を図ることが困難である、という問題があった。
【０００５】
本発明は、以上のような事情に基づいてなされたものであって、収納された物品を容易に取り出すことができ、特に採便管の輸送用のものとして構成された場合において、便試料の検査を行うに際しての採便管の取り出し工程の自動化を図ることが容易なブリスターパックを提供することを目的とする。
【課題を解決するための手段】
【０００６】
本発明のブリスターパックは、樹脂シートの成形品よりなり、一方のケースと当該一方のケースに折り曲げ部を介して連続する他方のケースとを嵌合させることにより内部に物品収納空間を形成するブリスターパックであって、
前記一方のケースおよび前記他方のケースの少なくとも一方が、当該一方のケースと当該他方のケースが嵌合された状態において内方側に向かって凸となる湾曲部を介して、前記折り曲げ部に連続していることを特徴とする。
【０００７】
本発明のブリスターパックは、便試料を内部に保持した採便管の輸送に好適に用いられるものである。
【０００８】
本発明のブリスターパックにおいては、前記一方のケースおよび前記他方のケースは、外周における少なくとも開閉端側の位置にフランジ部分を有しており、
当該一方のケースおよび当該他方のケースの少なくとも一方のケースにおけるフランジ部分が、当該一方のケースと当該他方のケースが嵌合された状態において外方に向かって拡開するよう傾斜した構成とされていることが好ましい。
このような構成のものにおいては、前記一方のケースおよび前記他方のケースの少なくとも一方のケースのフランジ部分の内面に、突起部が形成された構成とされていることがさらに好ましい。
【０００９】
さらにまた、本発明のブリスターパックにおいては、前記採便管は、外形形状が管軸方向における一端部と他端部とで互いに異なるものであって、
前記物品収納空間は、前記採便管の一端部および他端部の少なくとも一方の端部の外形形状に適合する空間形状を有する構成とされていることが好ましい。
【００１０】
さらにまた、本発明のブリスターパックにおいては、前記一方のケースに、前記採便管を受容して保持する採便管収容凹部が形成されており、当該採便管収容凹部には、当該採便管収容凹部に採便管が保持された状態において、当該採便管収容凹部の壁面と採便管の外周面との間に空間を形成する膨出部を有する構成とされていることが好ましい。
【００１１】
さらにまた、本発明のブリスターパックにおいては、前記一方のケースにおける前記採便管収容凹部の内面には、収容される採便管の管軸方向に延びる係合用凹溝が形成されており、
前記他方のケースには、当該採便管収容凹部の開口形状に適合する枠状の凸部が形成されており、当該凸部の外周面に、前記係合用凹溝に係合される係合用突条が形成された構成とされていることが好ましい。
【００１２】
さらにまた、本発明のブリスターパックにおいては、前記採便管に保持された便試料の色と補色の関係にある色の有色透明のものとして構成されていることが好ましい。
【発明の効果】
【００１３】
本発明のブリスターパックによれば、当該ブリスターパックを開状態とした際に、湾曲部のバネ性によって、一方のケースが他方のケースに対して所定の大きさの角度で開いた状態を維持することができるため、収納された物品を容易に取り出すことの状態を得ることができる。また、一方のケースと他方のケースとの係合状態を完全に解除しなくても、一方のケースが他方のケースに対して相対的に跳ね上がるように開くため、容易に開状態とすることができる。
従って、採便管の輸送用のものとして構成されている場合には、採便管に保持された便試料の検査を行うに際しての採便管の取り出し工程の自動化を図ることが容易となる。
【図面の簡単な説明】
【００１４】
【図１】本発明のブリスターパックに係る採便管用ブリスターパックの一例における構成を示す平面側斜視図である。
【図２】図１に示す採便管用ブリスターパックが開状態とされた状態を示す平面側斜視図である。
【図３】図１に示す採便管用ブリスターパックを展開した状態で示す平面側斜視図である。
【図４】図１に示す採便管用ブリスターパックにおける本体部の構成を示す平面図である。
【図５】採便管が図１に示す採便管用ブリスターパックに収納された状態における、折り曲げ部側の端部構造を示す断面図である。
【図６】採便管が図１に示す採便管用ブリスターパックに収納された状態における、開閉端側の端部構造を示す断面図である。
【図７】図１に示す採便管用ブリスターパックの折り曲げ部の構造を示す側面図である。
【発明を実施するための形態】
【００１５】
以下、本発明の実施の形態について詳細に説明する。
【００１６】
本発明のブリスターパックは、樹脂シートの成形品よりなり、一方のケースと当該一方のケースに折り曲げ部を介して連続する他方のケースとを嵌合させることにより内部に物品収納空間を形成する、いわゆる「クラムシェル型」のブリスターパックであって、一方のケースおよび他方のケースの少なくとも一方が、２つのケースが嵌合された状態において内方側に向かって凸となる湾曲部を介して折り曲げ部に連続する構成とされている。
本発明のブリスターパックは、一方のケースが他方のケースに対して開閉自在に構成されており、例えば物品の輸送用のものとして用いられる。収納される物品は、特に限定されるものではないが、本発明のブリスターパックは、例えば、便試料を内部に保持する採便管の輸送用のものとして好適に用いられる。
【００１７】
図１は、本発明のブリスターパックに係る採便管用ブリスターパックの一例における構成を示す平面側斜視図である。図２は、図１に示す採便管用ブリスターパックが開状態とされた状態を示す平面側斜視図である。図３は、図１に示す採便管用ブリスターパックを展開した状態で示す平面側斜視図である。図４は、図１に示す採便管用ブリスターパックにおける本体部の構成を示す平面図である。
この採便管用ブリスターパック１０は、樹脂シートを例えば真空成形または圧空成形することによって得られる成形品よりなり、一方のケースである本体部１１と、他方のケースである蓋部３０とが折り曲げ部４０を介して一体に連結されて構成されている。この採便管用ブリスターパック１０は、本体部１１と蓋部３０とが嵌合された状態（閉状態）において、平面視で略長方形状の形態を有している。
【００１８】
樹脂シートとしては、例えば、ポリエチレンテレフタレート系樹脂、塩化ビニル系樹脂、ポリプロピレン系樹脂、ポリスチレン系樹脂などの透明な熱可塑性樹脂からなるシートを用いることができる。透明な樹脂シートが用いられることにより、採便管５０が内部に収容されているか否かを外部から視認することができる。特に、ブリスターパックが採便管用のものである場合には、採便管５０に保持された便試料の色と補色の関係にある色、例えば緑色または青色などの有色透明な樹脂シートが用いられることが好ましい。一般に、採便管５０は透光性を有するものであるため、ブリスターパックが有色透明であることにより、便試料本来の色とは異なる色、例えば黒色（混色）に見えるようにすることができる。
また、樹脂シートの厚みは、例えば０．２〜０．３ｍｍであることが好ましい。
【００１９】
本体部１１は、一の採便管５０を受容して保持する採便管収容凹部２０と、採便管収容凹部２０の開口端縁の全周にわたって外方に延出するフランジ部１５とを有する。
この例の採便管ブリスターパック１０において収納される採便管５０は、外形形状が管軸方向における一端部と他端部とで互いに異なるものであって、一端が開口すると共に他端が例えば半球面状に閉塞された円筒状の採便管本体５１と、採便管本体５１の開口部に着脱可能に装着された円筒状のキャップ５２とにより構成されている。
【００２０】
採便管収容凹部２０は、板状空間を形成する第一凹部２１と、この第一凹部２１の底面側に段部２３を介して連続する第二凹部２２とを有する。
【００２１】
第一凹部２１の内面には、収容される採便管５０の管軸方向（以下、「長さ方向」という。）に延びる係合用凹溝２４が形成されている。具体的には、係合用凹溝２４は、第一凹部２１を画成する互いに対向して長さ方向に延びる一対の周壁の内面の各々に、例えば開口面に対して平行に長さ方向に延びるよう形成されている。
【００２２】
第二凹部２２は、採便管５０の一端部および他端部の少なくとも一方の端部の外形形状に適合する空間形状を有する。この例においては、第二凹部２２は、長さ方向における一端側部分が採便管５０のキャップ５２の外形形状に適合する空間形状を有すると共に他端側部分が採便管５０の採便管本体５１の外形形状に適合する空間形状を有する。すなわち、この採便管用ブリスターパック１０においては、採便管５０が、採便管本体部分が第二凹部２２の他端側である折り曲げ部側（以下、「連結端側」という。）に位置される姿勢で、第二凹部２２内に収容される。従って、図５に示すように、第二凹部２２における連結端側の端壁の内面および底壁の内面が、採便管本体５１の他端部に係る球面に沿った形状を有している。また、図６に示すように、第二凹部２２における一端側（以下、「開閉端側」という。）の端壁の内面および底壁の内面が、それぞれキャップ５２の一端面および一端部の外周面に沿った形状を有している。
【００２３】
また、第二凹部２２は、当該第二凹部２２に採便管５０が保持された状態において、第二凹部２２の壁面と採便管５０の外周面との間に空間Ｓを形成する膨出部２６を有する。具体的には、第二凹部２２を画成する互いに対向して長さ方向に延びる一対の周壁の各々における長さ方向中央部分に膨出部２６が互いに対向して形成されている。膨出部２６を有することにより形成される空間Ｓは、便試料の検査を行うに際しての採便管５０の取り出し工程を自動化するに際して、採便管取り出し用治具の挿入用空間として利用することができる。
【００２４】
また、第二凹部２２を画成する互いに対向して長さ方向に延びる一対の周壁の内面の各々には、採便管５０を嵌合状態で保持するための突起部が形成されている。この例においては、第二凹部２２の開閉端側部分の周壁に、一対の嵌合用突起部２５ａが互いに対向して形成されており、採便管５０のキャップ部分が当該一対の嵌合用突起部２５ａによって狭持されて嵌合状態で保持される。また、第二凹部２２の後端側部分の周壁には、一対の嵌合用突起部２５ｂが互いに対向して形成されており、採便管５０における採便管本体部分が当該一対の嵌合用突起部２５ｂによって狭持されて嵌合状態で保持される。
【００２５】
本体部１１のフランジ部１５における開閉端側に位置される部分（以下、「開閉端側フランジ部分１６」という。）は、本体部１１と蓋部３０とが嵌合された状態において、後述する蓋部３０における開閉端側フランジ部分３６に対して長さ方向外方に向かって拡開するよう傾斜しており（図６参照。）、これにより、本体部１１における開閉端側フランジ部分１６の内面と、蓋部３０における開閉端側フランジ部分３６の内面との間に、空隙が形成されている。すなわち、この採便管用ブリスターパック１０においては、蓋部３０が閉じられた状態において、開閉端が常時開いた状態とされる。
【００２６】
この採便管ブリスターパック１０における蓋部３０は、内面側に突出して形成された、本体部１１の採便管収容凹部２０における第一凹部２１内に挿入される凸部３１と、この凸部３１の外面側に位置される端部において外周の全周にわたって外方に延出するよう形成されたフランジ部３５とを有する。
【００２７】
この採便管用ブリスターパック１０においては、例えば被験者の氏名等の個人情報が記されたラベルが蓋部３０の外面に貼付されることから、蓋部３０の外面は平坦面とされていることが好ましい。然るに、蓋部３０が平坦なシート状に構成されていると、例えば輸送時などにおいて蓋部３０が変形するなどして採便管５０が脱落するおそれがあるため、蓋部３０は十分な強度を有する構成とされていることが望ましい。このような理由から、この例においては、凸部３１は、本体部１１の採便管収容凹部２０の開口形状に適合する矩形枠状に構成されている。この凸部３１は、蓋部３０の外面側から見ると、幅の狭い凹溝によって構成されている。
【００２８】
蓋部３０の内面側に形成された、凸部３１によって囲まれた空間は、少なくとも一部が採便管５０の外形と適合する空間形状を有する。すなわち、この例においては、図５に示すように、凸部３１における連結端側の内壁が、採便管本体５１の他端部に係る球面に沿った湾曲した形状を有している。一方、凸部３１における開閉端側の内壁は、図６に示すように、採便管５０におけるキャップ５２の一端面に沿った平坦な形状とされている。
【００２９】
また、凸部３１における互いに対向して長さ方向に延びる一対の周壁部分の外壁の外面の各々には、本体部１１の採便管収容凹部２０における第一凹部２１に形成された係合用凹溝２４の各々に係合される係合用突条３２が形成されている。このように、この採便管用ブリスターパック１０においては、本体部１１における係合用凹溝２４と蓋部３０における係合用突条３２による長さ方向に延びる係合部が形成されるため、蓋部３０を容易に開けることのできる構造でありながら、採便管ブリスターパック１０の輸送時などにおいて、蓋部３０が期せずして開状態とされることを回避することができる。
【００３０】
蓋部３０のフランジ部３５における開閉端側に位置される部分（開閉端側フランジ部分３６）の内面には、突起部３８が形成されている。なお、密着防止用の突起部は、本体部１１における開閉端側フランジ部分１６の内面に形成されていてもよい。また、蓋部３０における開閉端側フランジ部分３６は、本体部１１における開閉端側フランジ部分１６に対して長さ方向外方に向かって拡開するよう傾斜していてもよい。
【００３１】
この採便管ブリスターパック１０における折り曲げ部４０は、図７に示すように、展開された状態において、本体部１１側に向かって凸となるよう弧状に湾曲して形成されている。
【００３２】
而して、上記の採便管用ブリスターパック１０においては、本体部１１における連結端側フランジ部分１７が、本体部１１と蓋部３０とが嵌合された状態において内方側（蓋部３０側）に向かって凸となる第一の湾曲部４１を介して折り曲げ部４０の一端に連続すると共に、蓋部３０における連結端側フランジ部分３７が、本体部１１と蓋部３０とが嵌合された状態において内方側（本体部側）に向かって凸となる第二の湾曲部４２を介して折り曲げ部４０の他端に連続する構成とされている。すなわち、図７にも示すように、第一の湾曲部４１および第二の湾曲部４２は、いずれも折り曲げ部４０とは互いに異なる方向に湾曲するよう形成されている。
【００３３】
第一の湾曲部４１の曲率半径Ｒ１の大きさおよび第二の湾曲部４２の曲率半径Ｒ２の大きさは、互いに同一の大きさであっても、異なる大きさであってもよいが、折り曲げ部４０の曲率半径Ｒ０より大きい構成とされていることが好ましい。
また、第一の湾曲部４１の曲率半径Ｒ１の大きさおよび第二の湾曲部４２の曲率半径Ｒ２の大きさは、例えば、採便管用ブリスターパック１０を構成する樹脂シートの材質や厚みとの関係において、開状態とされた状態における開き角が４５°〜９０°となる大きさとされていることが好ましい。ここに、「開き角」とは、本体部１１における採便管収容凹部２０の開口端面を含む平面と、蓋部３０におけるフランジ部３５の内面を含む平面とがなす角である。
このような構成とされていることにより、便試料の検査に際しての採便管５０の取り出し工程の自動化を図ることが一層容易となる。
例えば、厚みが０．２５ｍｍであるＰＥＴ樹脂シートが用いられた場合における一構成例を示すと、折り曲げ部４０の曲率半径Ｒ０は、例えば２ｍｍであり、第一の湾曲部４１の曲率半径Ｒ１および第二の湾曲部４２の曲率半径Ｒ２は、例えば５ｍｍである。
【００３４】
以上の採便管用ブリスターパック１０は、採便管５０が内部に収容されたままの状態で、検査機にセットされて用いられ、当該検査機における蓋部開用治具によって開状態とされると共に採便管取り出し治具によって採便管５０が採便管ブリスターパック１０より取り出される。
【００３５】
而して、上記構成の採便管用ブリスターパック１０によれば、第一の湾曲部４１および第二の湾曲部４２の各々のバネ性によって、蓋部３０を開けた際に、蓋部３０が所定の大きさの角度で開いた状態を維持することができるため、採便管収容凹部２０から採便管５０を容易に取り出すことの状態を得ることができる。また、本体部１１と蓋部３０との係合状態を完全に解除しなくても、第一の湾曲部４１および第二の湾曲部４２の各々のバネ性、並びに、折り曲げ部４０のバネ性によって、蓋部３０が跳ね上がるように開くため、容易に開状態とすることができる。従って、便試料の検査を行うに際しての採便管５０の取り出し工程の自動化を図ることが容易となる。
また、「ブリスターパッケージ」という包装形態それ自体の機能、具体的には、材質的あるいは構造的に輸送に耐えられる十分な強度を有すると共に密閉性を有することによって、従来のように輸送用袋を利用した包装形態であれば生ずる採便管５０の輸送時における不具合が生ずることを回避することができる。
【００３６】
また、上記構成の採便管用ブリスターパック１０においては、本体部１１における開閉端側フランジ部分１６が、本体部１１と蓋部３０とが嵌合された状態において、蓋部３０における開閉端側フランジ部分３６に対して長さ方向外方に向かって拡開するよう傾斜しており、蓋部３０が閉じられた状態において、開閉端が常時開いた状態とされる。このため、適宜の平板状の蓋部開用治具を当該開閉端側の空隙に挿入しさえすれば、蓋部３０を開けることができるので、便試料の検査に際しての採便管５０の取り出し工程の自動化を図ることが一層容易となる。
【００３７】
さらにまた、蓋部３０における開閉端側フランジ部分３６の内面に、突起部３８が形成されていることにより、本体部１１の開閉端側フランジ部分１６と、蓋部３０における開閉端側フランジ部分３６とが密着した状態となることが回避されるため、蓋部開用治具の挿入用空間部を確実に確保することができる。
【００３８】
さらにまた、上記の採便管用ブリスターパック１０においては、本体部１１における採便管収容部２０を構成する第二凹部２２が、長さ方向における一端側部分が採便管５０のキャップ５２の外形形状に適合する空間形状を有すると共に他端側部分が採便管５０の採便管本体５１の外形形状に適合する空間形状を有している。また、蓋部３０の凸部３１における連結端側の内壁が、採便管本体５１の他端部に係る球面に沿った湾曲した形状を有している。このため、採便管用ブリスターパック１０に対する採便管５０の逆入れを確実に防止することができる。従って、採便管用ブリスターパック１０の向きを揃えれば、採便管５０の向きを揃えることができるため、便試料の検査に際しての採便管５０の取り出し工程の自動化を図ることが一層容易となる。
【００３９】
さらにまた、本体部１１における採便管収容部２０を構成する第二凹部２２は、当該第二凹部２２に採便管５０が保持された状態において、第二凹部２２の壁面と採便管５０の外周面との間に空間Ｓを形成する膨出部２６を有する構成とされている。このため、当該空間Ｓを採便管取り出し用治具の挿入用空間として利用することができるので、便試料の検査を行うに際しての採便管５０の取り出し工程の自動化を図ることが一層容易となる。
【００４０】
さらにまた、上記の採便管用ブリスターパック１０においては、蓋部３０における凸部３１が、本体部１１の採便管収容凹部２０の開口形状に適合する矩形枠状に構成されているため、例えば採便管用ブリスターパック１０の輸送に耐えられる十分な強度を蓋部３０に確保することができて、蓋部３０が期せずして開状態とされて採便管５０が脱落することを回避することができ、しかも、蓋部３０外面における平坦面領域を比較的大きく確保することができるため、蓋部３０外面に貼付されるラベルに対する例えば被験者の氏名等の必要事項を記入しにくくなるといった不具合が生ずることを回避することができる。
【００４１】
以上、本発明のブリスターパックの一実施形態について説明したが、本発明は上記の実施形態に限定されるものではなく、種々の変更を加えることができる。
例えば、上記の採便管用ブリスターパックにおいては、本体部１１および蓋部３０の各々が湾曲部４１，４２を介して折り曲げ部４０に連続する構成とされているが、本体部１１および蓋部３０の少なくとも一方が湾曲部を介して折り曲げ部４０に連続する構成とされていてもよい。
【符号の説明】
【００４２】
１０    採便管用ブリスターパック
１１    本体部
１５    フランジ部
１６    開閉端側フランジ部分
１７    連結端側フランジ部分
２０    採便管収容凹部
２１    第一凹部
２２    第二凹部
２３    段部
２４    係合用凹溝
２５ａ  嵌合用突起部
２５ｂ  嵌合用突起部
２６    膨出部
３０    蓋部
３１    凸部
３２    係合用突条
３５    フランジ部
３６    開閉端側フランジ部分
３７    連結端側フランジ部分
３８    突起部
４０    折り曲げ部
４１    第一の湾曲部
４２    第二の湾曲部
５０    採便管
５１    採便管本体
５２    キャップ
Ｓ    空間
【図１】
2018052535.tif 000003
【図２】
2018052535.tif 000004
【図３】
2018052535.tif 000005
【図４】
2018052535.tif 000006
【図５】
2018052535.tif 000007
【図６】
2018052535.tif 000008
【図７】
2018052535.tif 000009